(57)【要約】【課題】矩形板状の物品をより確実に保護することが可能な包装要素、包装体および梱包構造を提供する。【解決手段】包装要素１は、矩形板状の物品である有機エレクトロルミネッセンスパネル２を挟み込むための２枚の矩形板状の緩衝材１０を備えている。各緩衝材１０は、４つの側縁それぞれに切込部１１が形成されている。各緩衝材１０は、４つの切込部１１それぞれの内底面に内接する仮想矩形領域１２の外形寸法を、有機エレクトロルミネッセンスパネル２の外形寸法よりも大きく設定してある。【選択図】図１
2013173547.tif 000002
【特許請求の範囲】
【請求項１】
矩形板状の物品を挟み込むための２枚の矩形板状の緩衝材を備え、前記各緩衝材は、４つの側縁それぞれに切込部が形成されてなり、４つの前記切込部に内接する仮想矩形領域の外形寸法が前記物品の外形寸法よりも大きいことを特徴とする包装要素。
【請求項２】
矩形板状の物品である有機エレクトロルミネッセンスパネルと、前記有機エレクトロルミネッセンスパネルを入れた袋と、前記袋の外側から前記有機エレクトロルミネッセンスパネルを挟み込むように配置された２枚の矩形板状の緩衝材とを備え、前記袋は、前記有機エレクトロルミネッセンスパネルよりも外形寸法が大きく且つ前記各緩衝材の外形寸法よりも小さな矩形状であり、前記各緩衝材は、４つの側縁それぞれに切込部が形成されてなり、前記４つの前記切込部それぞれの内底面に内接する仮想矩形領域の外形寸法が、前記袋の外形寸法よりも小さく且つ前記有機エレクトロルミネッセンスパネルの外形寸法よりも大きく、前記緩衝材同士は、前記各緩衝材の各々における前記有機エレクトロルミネッセンスパネル側とは反対の外面と、前記各緩衝材の各々における前記切込部の前記内底面とに跨って配置された固定部材により固定されてなることを特徴とする包装体。
【請求項３】
前記緩衝材の各々は、段ボールにより構成されてなることを特徴とする請求項２記載の包装体。
【請求項４】
前記段ボールは、複両面段ボールにより構成されてなり、前記外面側の第１ライナーと中間の第２ライナーとの間隔が、内面側の第３ライナーと前記第２ライナーとの間隔よりも大きいことを特徴とする請求項３記載の包装体。
【請求項５】
前記袋は、帯電防止機能を有することを特徴とする請求項２乃至４のいずれか１項に記載の包装体。
【請求項６】
外装用段ボール箱と、前記外装用段ボール箱の底壁上に配置された段ボール製の第１クッション材と、複数個の包装体が１つの防水用袋に収納されて前記第１クッション材上に載置された梱包ユニットと、前記梱包ユニットと前記外装用段ボール箱の４つの側壁それぞれとの間に配置された４つの段ボール製の第２クッション材と、前記梱包ユニットと前記各第２クッション材とを覆うように配置された段ボール製の第３クッション部材とを備え、前記包装体は、矩形板状の物品である有機エレクトロルミネッセンスパネルと、前記有機エレクトロルミネッセンスパネルを入れた袋と、前記袋の外側から前記有機エレクトロルミネッセンスパネルを挟み込むように配置された２枚の矩形板状の緩衝材とを備え、前記袋は、前記有機エレクトロルミネッセンスパネルよりも外形寸法が大きく且つ前記各緩衝材の外形寸法よりも小さな矩形状であり、前記各緩衝材は、４つの側縁それぞれに切込部が形成されてなり、前記４つの前記切込部それぞれの内底面に内接する仮想矩形領域の外形寸法が、前記袋の外形寸法よりも小さく且つ前記有機エレクトロルミネッセンスパネルの外形寸法よりも大きく、前記緩衝材同士は、前記各緩衝材の各々における前記有機エレクトロルミネッセンスパネル側とは反対の外面と、前記各緩衝材の各々における前記切込部の前記内底面とに跨って配置された固定部材により固定されてなり、前記梱包ユニットは、複数個の前記包装体が重なり合っており、前記防水用袋内で前記各包装体が動かないように前記防水用袋の余剰分が折り曲げられて前記防水用袋に対して粘着テープにて固定されてなることを特徴とする梱包構造。
【請求項７】
前記袋及び前記防水用袋の各々は、帯電防止機能を有することを特徴とする請求項６記載の梱包構造。
【請求項８】
前記梱包ユニットは、前記防水用袋内で前記包装体の重ね合わせ方向の片側に重ね合わされたデシカント収納用段ボールと、前記デシカント収納用段ボールの厚み方向に貫通する貫通孔内に収納されたデシカントとを備えてなることを特徴とする請求項６又は７記載の梱包構造。
【請求項９】
前記各第２クッション材のうち、前記包装体の厚み方向の両側にある２つの前記第２クッション材は、段ボールを折畳んでばね状に形成されてなることを特徴とする請求項６乃至８のいずれか１項に記載の梱包構造。
【発明の詳細な説明】
【技術分野】
【０００１】
本発明は、包装要素、包装体および梱包構造に関するものである。
【背景技術】
【０００２】
従来から、包装要素としては、輸送される物品を被覆、保護、補強するためのものが知られている。また、従来から、包装体としては、物品と包装要素との結合体が知られている。また、従来から、梱包構造としては、複数個の包装体を段ボール箱に収納したものが知られている。
【０００３】
ところで、ガラス板等の素材を使って作られた板状の物品を梱包する梱包具としては、段ボールを使用したものが提案されている（特許文献１）。
【先行技術文献】
【特許文献】
【０００４】
【特許文献１】特開平７−４１０７９号公報
【発明の概要】
【発明が解決しようとする課題】
【０００５】
ところで、矩形板状の物品として照明用途などに用いられる有機エレクトロルミネッセンスパネルがある。しかしながら、有機エレクトロルミネッセンスパネルは、非常に薄いので、梱包中や輸送中に衝撃の影響を受けやすく、特に、梱包中に押圧力が作用することで不具合が発生したり、輸送中に捩れが発生し不具合が発生することがあった。なお、これらの不具合としては、例えば、有機エレクトロルミネッセンスパネルの不点などがあった。
【０００６】
そこで、本願発明者らは、特許文献１に記載された二連梱包ユニットを、有機エレクトロルミネッセンスパネルの包装要素として利用することを考えた。しかしながら、この場合には、梱包ユニットを二つ折りすることにより１枚の有機エレクトロルミネッセンスパネルを挟持する必要がある。このため、このような二連梱包ユニットでは、有機エレクトロルミネッセンスパネルを十分に固定することが難しく、有機エレクトロルミネッセンスパネルに不具合が発生する懸念があった。
【０００７】
また、上述の特許文献１に開示された梱包具を用いた梱包構造では、二連梱包ユニットが捩れて有機エレクトロルミネッセンスパネルに不具合が発生する懸念がある。
【０００８】
本発明は上記事由に鑑みて為されたものであり、その目的は、矩形板状の物品をより確実に保護することが可能な包装要素、包装体および梱包構造を提供することにある。
【課題を解決するための手段】
【０００９】
本発明の包装要素は、矩形板状の物品を挟み込むための２枚の矩形板状の緩衝材を備え、前記各緩衝材は、４つの側縁それぞれに切込部が形成されてなり、４つの前記切込部に内接する仮想矩形領域の外形寸法が前記物品の外形寸法よりも大きいことを特徴とする。
【００１０】
本発明の包装体は、矩形板状の物品である有機エレクトロルミネッセンスパネルと、前記有機エレクトロルミネッセンスパネルを入れた袋と、前記袋の外側から前記有機エレクトロルミネッセンスパネルを挟み込むように配置された２枚の矩形板状の緩衝材とを備え、前記袋は、前記有機エレクトロルミネッセンスパネルよりも外形寸法が大きく且つ前記各緩衝材の外形寸法よりも小さな矩形状であり、前記各緩衝材は、４つの側縁それぞれに切込部が形成されてなり、前記４つの前記切込部それぞれの内底面に内接する仮想矩形領域の外形寸法が、前記袋の外形寸法よりも小さく且つ前記有機エレクトロルミネッセンスパネルの外形寸法よりも大きく、前記緩衝材同士は、前記各緩衝材の各々における前記有機エレクトロルミネッセンスパネル側とは反対の外面と、前記各緩衝材の各々における前記切込部の前記内底面とに跨って配置された固定部材により固定されてなることを特徴とする。
【００１１】
この包装体において、前記緩衝材の各々は、段ボールにより構成されてなることが好ましい。
【００１２】
この包装体において、前記段ボールは、複両面段ボールにより構成されてなり、前記外面側の第１ライナーと中間の第２ライナーとの間隔が、内面側の第３ライナーと前記第２ライナーとの間隔よりも大きいことが好ましい。
【００１３】
この包装体において、前記袋は、帯電防止機能を有することが好ましい。
【００１４】
本発明の梱包構造は、外装用段ボール箱と、前記外装用段ボール箱の底壁上に配置された段ボール製の第１クッション材と、複数個の包装体が１つの防水用袋に収納されて前記第１クッション材上に載置された梱包ユニットと、前記梱包ユニットと前記外装用段ボール箱の４つの側壁それぞれとの間に配置された４つの段ボール製の第２クッション材と、前記梱包ユニットと前記各第２クッション材とを覆うように配置された段ボール製の第３クッション部材とを備え、前記包装体は、矩形板状の物品である有機エレクトロルミネッセンスパネルと、前記有機エレクトロルミネッセンスパネルを入れた袋と、前記袋の外側から前記有機エレクトロルミネッセンスパネルを挟み込むように配置された２枚の矩形板状の緩衝材とを備え、前記袋は、前記有機エレクトロルミネッセンスパネルよりも外形寸法が大きく且つ前記各緩衝材の外形寸法よりも小さな矩形状であり、前記各緩衝材は、４つの側縁それぞれに切込部が形成されてなり、前記４つの前記切込部それぞれの内底面に内接する仮想矩形領域の外形寸法が、前記袋の外形寸法よりも小さく且つ前記有機エレクトロルミネッセンスパネルの外形寸法よりも大きく、前記緩衝材同士は、前記各緩衝材の各々における前記有機エレクトロルミネッセンスパネル側とは反対の外面と、前記各緩衝材の各々における前記切込部の前記内底面とに跨って配置された固定部材により固定されてなり、前記梱包ユニットは、複数個の前記包装体が重なり合っており、前記防水用袋内で前記各包装体が動かないように前記防水用袋の余剰分が折り曲げられて前記防水用袋に対して粘着テープにて固定されてなることを特徴とする。
【００１５】
この梱包構造において、前記袋及び前記防水用袋の各々は、帯電防止機能を有することが好ましい。
【００１６】
この梱包構造において、前記梱包ユニットは、前記防水用袋内で前記包装体の重ね合わせ方向の片側に重ね合わされたデシカント収納用段ボールと、前記デシカント収納用段ボールの厚み方向に貫通する貫通孔内に収納されたデシカントとを備えてなることが好ましい。
【００１７】
この梱包構造において、前記各第２クッション材のうち、前記包装体の厚み方向の両側にある２つの前記第２クッション材は、段ボールを折畳んでばね状に形成されてなることが好ましい。
【発明の効果】
【００１８】
本発明の包装要素においては、矩形板状の物品をより確実に保護することが可能となる。
【００１９】
本発明の包装体においては、矩形板状の物品である有機エレクトロルミネッセンスパネルをより確実に保護することが可能となる。
【００２０】
本発明の梱包構造においては、矩形板状の物品である有機エレクトロルミネッセンスパネルをより確実に保護することが可能となる。
【図面の簡単な説明】
【００２１】
【図１】実施形態における包装体の概略分解斜視図である。
【図２】実施形態における緩衝材の平面図である。
【図３】実施形態における緩衝材の側面図である。
【図４】（ａ）は実施形態における有機エレクトロルミネッセンスパネルの概略平面図、（ｂ）は実施形態における有機エレクトロルミネッセンスパネルの概略側面図である。
【図５】（ａ）は実施形態における包装体の平面図、（ｂ）は実施形態における包装体の側面図である。
【図６】実施形態における梱包方法の説明図である。
【図７】実施形態における梱包方法の説明図である。
【図８】実施形態における梱包方法の説明図である。
【図９】実施形態におけるデシカント収納用段ボールの平面図である。
【図１０】実施形態における梱包方法の説明図である。
【図１１】実施形態における梱包方法の説明図である。
【図１２】実施形態における梱包方法の説明図である。
【発明を実施するための形態】
【００２２】
本実施形態における包装要素１は、図１に示すように、矩形板状の物品である有機エレクトロルミネッセンスパネル２を挟み込むための２枚の矩形板状の緩衝材１０を備えている。緩衝材１０は、有機エレクトロルミネッセンスパネル２側とは反対の外面側にかかる外圧（押圧力など）を吸収するためのものである。各緩衝材１０は、段ボールにより構成されたものが好ましい。
【００２３】
各緩衝材１０としては、段ボールに限らず、例えば、発泡スチロール板などを用いることもできるが、環境負荷を低減するなどの観点から、段ボールのほうが好ましい。
【００２４】
各緩衝材１０は、図１及び図２に示すように、４つの側縁それぞれに切込部１１が形成されている。各緩衝材１０は、４つの切込部１１それぞれの内底面に内接する仮想矩形領域１２の外形寸法を、有機エレクトロルミネッセンスパネル２の外形寸法よりも大きく設定してある。
【００２５】
緩衝材１０として用いる段ボールは、図３に示すように、複両面段ボールにより構成されてなり、一面側の第１ライナー１０ａと中間の第２ライナー１０ｂとの間隔が、他面側の第３ライナー１０ｃと第２ライナー１０ｂとの間隔よりも大きいことが好ましい。要するに、緩衝材１０を構成する複両面段ボールは、第１ライナー１０ａと第２ライナー１０ｂとの間の波形状の中しん（第１波形部）１０ｄの高さ寸法が、第３ライナー１０ｃと第２ライナー１０ｂとの間の波形状の中しん（第２波形部）１０ｅの高さ寸法よりも大きいことが好ましい。ここにいて、各緩衝材１０は、上記一面側を有機エレクトロルミネッセンスパネル２側とは反対の外面側とし、上記他面側を有機エレクトロルミネッセンスパネル２側として用いることが好ましい。
【００２６】
有機エレクトロルミネッセンスパネル２としては、図４に示す構成のものを用いることができる。この有機エレクトロルミネッセンスパネル２は、平面視矩形状（図示例では、平面視長方形状）の透明基板２１の一表面側に有機エレクトロルミネッセンス素子２２が形成され、透明基板２１の上記一表面側に、有機エレクトロルミネッセンス素子２２を覆う平面視矩形状（図示例では、平面視正方形状）のカバー部材２３が固着されている。なお、上述した有機エレクトロルミネッセンスパネル２の外形寸法は、透明基板２１の外形寸法である。
【００２７】
有機エレクトロルミネッセンスパネル２は、透明基板２１の他表面を光出射面（発光面）として用いるものである。透明基板２１としては、ガラス基板を用いているが、これに限らず、プラスチック板を用いることもできる。カバー部材２３は、ガラス基板から形成されており、透明基板２１との対向面側に、有機エレクトロルミネッセンス素子２２などを収納するための凹部２３ａが形成されている。そして、カバー部材２３は、透明基板２１との対向面側における周部が、透明基板２１の上記一表面側に、エポキシ樹脂などからなる接合部（図示せず）を介して固着されている。カバー部材２３は、透明基板２１側とは反対側に、有機エレクトロルミネッセンス素子２２の発光時の温度の均熱化を図るためのシート部材が設けられていることが好ましい。このようなシート部材としては、例えば銅箔やアルミニウム箔などを採用することができる。また、有機エレクトロルミネッセンスパネル２は、カバー部材２３の凹部２３ａの内底面にデシカント（図示せず）を固着してある。このデシカントとしては、例えば、酸化カルシウム系の乾燥剤（酸化カルシウムをガラスに練り込んだゲッタ）などを用いることができる。
【００２８】
有機エレクトロルミネッセンスパネル２は、カバー部材２３自体を銅箔やアルミニウム箔などの金属箔により構成してもよい。この場合には、例えば、カバー部材２３と有機エレクトロルミネッセンス素子２２との間に電気絶縁性の樹脂からなる封止部を介在させればよい。
【００２９】
有機エレクトロルミネッセンス素子２２は、透明基板２１の上記一表面側に設けられた第１電極と、透明基板２１の上記一表面側で第１電極に対向した第２電極と、第１電極と第２電極との間にあり少なくとも発光層を含む機能層とを備えている。第１電極、機能層及び第２電極それぞれは、平面視矩形状に形成されている。
【００３０】
なお、有機エレクトロルミネッセンスパネル２の構造は、特に限定するものではない。
【００３１】
２枚の緩衝材１０により挟み込む有機エレクトロルミネッセンスパネル２は、袋３に入れられていることが好ましい。これにより、緩衝材１０などから発生するゴミなどが有機エレクトロルミネッセンスパネル２に付着するのを防止することが可能となる。
【００３２】
有機エレクトロルミネッセンスパネル２が袋３に入れられている場合、各緩衝材１０は、上述の仮想矩形領域１２の外形寸法が、袋３の外形寸法よりも小さいことが好ましい。
【００３３】
物品は、有機エレクトロルミネッセンスパネル２に限らず、例えば、液晶パネルなどでもよい。また、有機エレクトロルミネッセンスパネル２としては、照明用途のものに限らず、例えば、ディスプレイ用途のものでもよい。
【００３４】
以上説明した本実施形態における包装要素１では、上述のように、矩形板状の物品である有機エレクトロルミネッセンスパネル２を挟み込むための２枚の矩形板状の緩衝材１０を備えている。そして、各緩衝材１０は、４つの側縁それぞれに切込部１１が形成されている。また、各緩衝材１０は、４つの切込部１１それぞれの内底面に内接する仮想矩形領域１２の外形寸法を、有機エレクトロルミネッセンスパネル２の外形寸法よりも大きく設定してある。しかして、本実施形態における包装要素１では、矩形板状の物品をより確実に保護することが可能となる。
【００３５】
包装要素１は、包装対象の物品の一例として、矩形板状の有機エレクトロルミネッセンスパネル２を想定している。ここで、有機エレクトロルミネッセンスパネル２としては、例えば、外形寸法が９０ｍｍ×９７ｍｍのものを想定している。この場合においては、緩衝材１０の外形寸法を１１４ｍｍ×１２１ｍｍに設定してある（図２中のＶ１＝１１４ｍｍ、Ｌ１＝１２１ｍｍ）。また、各切込部１１の深さ寸法Ｄ１（図２参照）は、１０ｍｍに設定してある。したがって、仮想矩形領域１２の外形寸法は、９４ｍｍ×１０１ｍｍに設定されていることになる。なお、これらの数値は一例であり、特に限定するものではない。
【００３６】
また、緩衝材１０は、長手方向に沿った各側縁の各々の切込部１１（以下、第１切込部１１ａとも称する）と、短手方向に沿った各側縁の各々の切込部１１（以下、第２切込部１１ｂとも称する）とで形状を異ならせてある。これにより、包装要素１を用意して有機エレクトロルミネッセンスパネル２を包装する場合には、緩衝材１０の長手方向と有機エレクトロルミネッセンスパネル２の長手方向とを容易に合わせることが可能となる。なお、緩衝材１０は、平面視における第１切込部１１ａの形状を台形状とし、平面視における第２切込部１１ｂの形状を矩形状としてあるが、これらの形状は特に限定するものではなく、例えば逆でもよい。また、緩衝材１０は、図２に示すように、平面視において短手方向に沿った中心線ＣＡ１を基準としてその両側を対称な形状とし、平面視において長手方向に沿った中心線ＣＡ２を基準としてその両側を対称な形状としてある。これにより、包装要素１は、包装時などに緩衝材１０から有機エレクトロルミネッセンスパネル２に作用する押圧力の面内ばらつきを低減することが可能となる。
【００３７】
本実施形態における包装体５は、図５に示すように、上述の包装要素１を利用して上述の有機エレクトロルミネッセンスパネル２を包装したものである。
【００３８】
包装体５は、有機エレクトロルミネッセンスパネル２と、有機エレクトロルミネッセンスパネル２を入れた袋３と、袋３の外側から有機エレクトロルミネッセンスパネル２を挟み込むように配置された２枚の矩形板状の緩衝材１０とを備えている。
【００３９】
袋３は、有機エレクトロルミネッセンスパネル２よりも外形寸法が大きく且つ各緩衝材１０の外形寸法よりも小さな矩形状である。
【００４０】
各緩衝材１０は、４つの側縁それぞれに切込部１１が形成されており、４つの切込部１１それぞれの内底面に内接する仮想矩形領域１２の外形寸法が、袋３の外形寸法よりも小さく且つ有機エレクトロルミネッセンスパネル２の外形寸法よりも大きい。
【００４１】
緩衝材１０同士は、各緩衝材１０の各々における有機エレクトロルミネッセンスパネル２側とは反対の外面と、各緩衝材１０の各々における切込部１１の内底面とに跨って配置された固定部材４により固定されている。しかして、本実施形態における包装体５では、矩形板状の物品である有機エレクトロルミネッセンスパネル２をより確実に保護することが可能となる。
【００４２】
固定部材４としては、例えば、粘着テープが好ましい。固定部材４を構成する粘着テープとしては、例えば、セロハンテープや、メンディングテープなどを用いることができる。固定部材４は、粘着テープに限らず、例えば、クリップなどを採用することもできる。また、固定部材４としては、輪ゴムなどを採用してもよい。包装体５は、固定部材４として粘着テープを採用することにより、クリップや輪ゴムを採用する場合に比べて、固定部材４に起因して有機エレクトロルミネッセンスパネル２に作用する外力を低減することが可能となる。
【００４３】
各緩衝材１０の各々は、上述のように、段ボールにより構成されることが好ましい。これにより、包装体５は、各緩衝材１０として発泡スチロール板を用いる場合に比べて、環境負荷を低減することが可能となり、また、塵が発生しにくくなる。
【００４４】
また、各緩衝材１０は、上述のように、４つの側縁それぞれに切込部１１が形成されている。各緩衝材１０は、４つの切込部１１それぞれの内底面に内接する仮想矩形領域１２の外形寸法が、有機エレクトロルミネッセンスパネル２の外形寸法よりも大きい。
【００４５】
緩衝材１０として用いる段ボールは、図３に示すように、複両面段ボールにより構成されていることが好ましい。この場合、複両面段ボールは、一面側の第１ライナー１０ａと中間の第２ライナー１０ｂとの間隔が、他面側の第３ライナー１０ｃと第２ライナー１０ｂとの間隔よりも大きいことが好ましい。ここにいて、各緩衝材１０は、上記一面側を有機エレクトロルミネッセンスパネル２側とは反対の外面側とし、上記他面側を有機エレクトロルミネッセンスパネル２側として配置されている。これにより、包装体５は、各緩衝材１０の各々が逆向きに配置されている場合や、各緩衝材１０の各々が片面段ボールにより構成されている場合に比べて、各緩衝材１０の各々における外面側から有機エレクトロルミネッセンスパネル２に作用する押圧力を低減することが可能となる。
【００４６】
この包装体５において、袋３は、帯電防止機能を有することが好ましい。これにより、包装体５は、包装時、梱包時、輸送時、取り出し時などに袋３で静電気が発生するのを防止することが可能となり、静電気に起因して有機エレクトロルミネッセンスパネル２が絶縁破壊される（第１電極と第２電極との間がショートしてしまう）のを防止することが可能となる。
【００４７】
帯電防止機能を有する袋３としては、例えば、表面抵抗値が１０１１Ω／□以下のものが好ましく、１０９〜１０１１Ω／□程度のものが、より好ましい。また、袋３は、透明性を有していることが好ましい。これにより、包装体５は、包装時や、包装体５から有機エレクトロルミネッセンスパネル２を取り出すための作業時などに、袋３の外側から、袋３内の有機エレクトロルミネッセンスパネル２を視認することが可能となる。
【００４８】
本実施形態における包装体５では、上述の袋３として、色が青色半透明で、厚みが０．０５ｍｍ、表面抵抗値が４．０〜５．０×１０１１Ω／□のものを採用している。このような袋３の材質としては、例えば、ポリオレフィン系樹脂に帯電防止剤を添加混練りしたものなどがある。表面抵抗値は、“熱硬化性プラスチック一般試験方法（ＪＩＳ  Ｋ６９１１）”として規格化されている表面抵抗の試験方法に準じて測定した値であり、測定条件として温度を２７℃、相対湿度を４５％ＲＨとした。袋３の厚み、表面抵抗値及び材質それぞれは、特に限定するものではない。なお、帯電防止剤としては、導電性物質が用いられる。
【００４９】
ただし、袋３の厚みは、有機エレクトロルミネッセンスパネル２の厚みよりも十分に薄いことが好ましい。なお、上述の有機エレクトロルミネッセンスパネル２の厚みは、２ｍｍ程度である。ただし、有機エレクトロルミネッセンスパネル２の厚みの数値は一例であり、特に限定するものではない。
【００５０】
袋３は、有機エレクトロルミネッセンスパネル２を入れた後も口を閉じていないが、口を閉じてもよい。袋３の口を閉じた場合、袋３は、密封されている。要するに、有機エレクトロルミネッセンスパネル２は、袋３に封入されている。これにより、袋３の中に大気中の粉塵やガス成分（水分）などが入り込むのを抑制することが可能となる。有機エレクトロルミネッセンスパネル２の発光面には、保護シートを着脱自在な保護シートを貼ってあることが好ましい。これにより、包装体５は、包装時や包装をとく時などに有機エレクトロルミネッセンスパネル２の発光面に傷がつくのを防止することが可能となる。
【００５１】
包装体５は、有機エレクトロルミネッセンスパネル２として、上述の包装要素１の包装対象の物品の一例のものを想定している。緩衝材１０の外形寸法および各切込部１１の深さ寸法Ｄ１なども、上述の包装要素１の緩衝材１０と同様である。また、袋３の外形寸法は、袋３を折り返す必要のないように設定することが好ましく、９６ｍｍ×１０３ｍｍに設定されている。これにより、包装体５は、袋３を折り返す必要がないので、袋３の折り返した部分が有機エレクトロルミネッセンスパネル２に重なるのを防止することが可能となり、この折り返し部分により有機エレクトロルミネッセンスパネル２が押圧されるのを防止することが可能となる。なお、これらの数値は一例であり、特に限定するものではない。
【００５２】
次に、上述の包装体５を備えた梱包構造４０（図１２（ｂ）参照）および物品である有機エレクトルミネッセンスパネル２の梱包方法について図６〜図１２を参照しながら説明する。
【００５３】
図１２（ｂ）の梱包構造４０は、外装用段ボール箱５０と、段ボール製の第１クッション材６１（図１１（ｂ），（ｃ）参照）と、複数個の包装体５が１つの防水袋用６に収納された梱包ユニット７（図１０（ｂ）、図１１（ａ），（ｂ），（ｄ）参照）と、４つの段ボール製の第２クッション材６２ａ，６２ａ，６２ｂ，６２ｂと、段ボール製の第３クッション部材６３とを備えている。これにより、本実施形態における梱包構造４０では、矩形板状の物品である有機エレクトロルミネッセンスパネル２をより確実に保護することが可能となる。
【００５４】
外装用段ボール箱５０は、外装に用いる矩形箱状の段ボール箱である。外装用段ボール箱の形式は、例えば、ＪＩＳ規格（ＪＩＳ  Ｚ１５０７）において規格化された段ボール箱の形式に従ったものが好ましい。
【００５５】
第１クッション材６１は、外装用段ボール箱５０の底壁５１（図１１（ｂ）参照）上に配置されている。第１クッション材６１は、矩形板状の段ボールを図１１（ｂ）に示すような角筒状の形状に折り曲げることにより構成されている。
【００５６】
梱包ユニット７は、複数個（例えば、４個）の包装体５が１つの防水用袋６に収納されている。梱包ユニット７において防水用袋６に収納される複数個の包装体５は、図８に示すように、包装体５の厚み方向に隙間なく重ねてある。これにより、梱包ユニット７の各有機エレクトロルミネッセンスパネル２が捩れるのを防止することが可能となる。
【００５７】
また、梱包ユニット７においては、複数個の包装体５が重ねてあるだけでなく、その両側に緩衝材１０を少なくとも１枚ずつ重ねてあることが好ましい。これにより、梱包ユニット７は、各有機エレクトロルミネッセンスパネル２に、厚み方向の押圧力が作用するのを、より抑制することが可能となる。
【００５８】
また、梱包ユニット７は、包装体５の重ね合わせ方向の片側に重ね合わされたデシカント収納用段ボール３０（図９および図１０（ａ）参照）と、デシカント収納用段ボール３０の厚み方向に貫通する貫通孔３１内に収納されたデシカント９（図１０（ａ）参照）とを備えていることが好ましい。これによって、梱包ユニット７は、各包装体５の各々の有機エレクトロルミネッセンスパネル２が水分などのガス成分の影響を受けるのを、より抑制することが可能となる。デシカント９の材料としては、例えば、シリカゲルなどを採用することができる。デシカント収納用段ボール３０の構造は、緩衝材１０と略同じであり、貫通孔３１が形成されている点のみ相違する。デシカント収納用段ボール３０において、緩衝材１０と同様の構成要素には同一の符号を付して説明を省略する。なお、梱包ユニット７は、デシカント収納用段ボール３０を２枚重ねてあるが、これに限らず、デシカント収納用段ボール３０は１枚でもよい。
【００５９】
また、梱包ユニット７は、防水用袋６の中で複数個の包装体５が重なり合っている。ここにおいて、梱包ユニット７は、防水用袋６内で各包装体５が動かないように防水用袋６の余剰分が折り曲げられて防水用袋６に対して粘着テープ７１（図１０（ｂ）参照）にて固定されていることが好ましい。これによって、梱包ユニット７は、防水用袋６内で各包装体５が動くのを抑制することが可能となり、各包装体５の有機エレクトロルミネッセンスパネル２に外力が作用するのを、より抑制することが可能となる。粘着テープ７１としては、例えば、セロハンテープや、メンディングテープなどを用いることができる。
【００６０】
防水用袋６は、袋３と同様に、帯電防止機能を有することが好ましい。防水用袋６の材質としては、袋３と同じ材質を採用することができるが、別の材質でもよい。
【００６１】
４つの段ボール製の第２クッション材６２ａ，６２ａ，６２ｂ，６２ｂは、梱包ユニット７と外装用段ボール箱５０の４つの側壁５１ａ，５１ａ，５１ｂ，５１ｂそれぞれとの間に１つずつ配置されている。各第２クッション材６２ａ，６２ａ，６２ｂ，６２ｂは、第１クッション部材６１上に載置されている。各第２クッション材６２ａ，６２ａ，６２ｂ，６２ｂのうち、包装体５の厚み方向の両側にある２つの第２クッション材６２ｂ，６２ｂは、段ボールを折畳んでばね状に形成されたものが好ましい。これにより、梱包構造４０は、各包装体５の有機エレクトロルミネッセンスパネル２に外力が作用するのを、より抑制することが可能となる。
【００６２】
第３クッション部材６３は、梱包ユニット７と各第２クッション材６２ａ，６２ａ，６２ｂ，６２ｂとを覆うように配置されている。第３クッション材６３は、矩形板状の段ボールを第１クッション部材６１と同様に角筒状の形状に折り曲げることにより構成されている。
【００６３】
上述の梱包構造４０を得るためには、まず、物品である有機エレクトロルミネッセンスパネル２を袋３に入れたものを規定数（図６の例では、４個）だけ用意する。これらは、例えば、図６に示すように、帯電防止機能を有する樹脂製のトレイ８０に載置して袋８１に入れたものを用意し、この袋８１を開封すればよい。なお、袋８１としては、袋３と同様に帯電防止機能を有するものが好ましい。
【００６４】
その後には、図７（ａ）に示すように、緩衝材１０を、上記規定数の２倍の枚数（図７（ａ）の例では、８枚）だけ用意する。つまり、２枚の緩衝材１０で構成される包装要素１を、上記規定数だけ用意する。
【００６５】
その後には、図７（ｂ）に示すように、各包装要素１の各々における一方の緩衝材１０上に、有機エレクトロルミネッセンスパネル２を袋３に入れたものを載置する。
【００６６】
その後には、各包装要素１ごとに２枚の緩衝材１０の間に、有機エレクトロルミネッセンスパネル２を袋３に入れたものを挟み込んで、固定部材４により緩衝材１０同士を固定することにより、包装体５を形成する。そして、図８に示すように、上記規定数の包装体５を重ね合わせ、更に両側に緩衝材１０を重ね、その片側に２枚のデシカント用段ボール３０（図９参照）を重ね合わせる。
【００６７】
その後には、図１０（ａ）に示すように、２枚のデシカント用段ボール３０の貫通孔３１にデシカント９を収納したものを防水用袋６に入れる。
【００６８】
その後には、図１０（ｂ）に示すように、防水用袋６内で各包装体５が動かないように防水用袋６の余剰分を折り曲げて、余剰分を防水用袋６の他の部分に対して粘着テープ７１にて固定する。
【００６９】
その後には、図１１（ａ）に示すように、防水ユニット７中の各包装体５が縦置きとなるよう防水ユニット７の向きを変えてから、２枚の平面視Ｕ字状の緩衝用段ボール８ａ，８ａにより構成する緩衝部材８により囲む。各緩衝用段ボール８ａは、矩形板状の段ボールを折り曲げることにより構成されている。
【００７０】
その後には、図１１（ｂ）に示すような第１クッション材６１を外装用段ボール箱５０内に入れて外装用段ボール箱５０の底壁５１上に載置する。
【００７１】
その後には、図１１（ｃ）に示すように２つの第２クッション材６２ａを外装用段ボール箱５０内に入れて第１クッション材６１上に載置する。
【００７２】
その後には、図１１（ｄ）に示すように梱包ユニット７および２つの第２クッション部材６２ｂを外装用段ボール箱５０内に入れて第１クッション材６１上に載置する。
【００７３】
その後には、図１２（ａ）に示すように第３クッション材６３を外装用段ボール箱５０内に入れて梱包ユニット７と各第２クッション材６２ａ，６２ａ，６２ｂ，６２ｂとを覆うように配置する。
【００７４】
その後には、外装用段ボール箱５０の２つの内フラップ５３ｂ，５３ｂを内側に折り曲げて第３クッション部材６３に重ねてから、外装用段ボール箱５０の外フラップ５３ａ，５３ａを内側に折り曲げて内フラップ５３ｂ，５３ｂに重ねてから、図１２（ｂ）に示すように粘着テープ５９で固定することにより、梱包構造４０が完成する。粘着テープ５９としては、例えば、クラフト粘着テープや、布粘着テープなどを採用することができる。
【符号の説明】
【００７５】
１  包装要素
２  有機エレクトロルミネッセンスパネル
３  袋
４  固定部材
６  防水用袋
７  梱包ユニット
１０  緩衝材
１０ａ  第１ライナー
１０ｂ  第２ライナー
１０ｃ  第３ライナー
１１  切込部
１２  仮想矩形領域
３０  デシカント収納用段ボール
３１  貫通孔
５０  外装用段ボール
５１  底壁
６１  第１クッション材
６２ａ  第２クッション材
６２ｂ  第２クッション材
６３  第３クッション材
７１  粘着テープ
【図１】
2013173547.tif 000003
【図２】
2013173547.tif 000004
【図３】
2013173547.tif 000005
【図４】
2013173547.tif 000006
【図５】
2013173547.tif 000007
【図６】
2013173547.tif 000008
【図７】
2013173547.tif 000009
【図８】
2013173547.tif 000010
【図９】
2013173547.tif 000011
【図１０】
2013173547.tif 000012
【図１１】
2013173547.tif 000013
【図１２】
2013173547.tif 000014